(57)【要約】      （修正有）【課題】用紙搬送路上において印刷結果が紙詰まりすることなく出力されることを保証する保証位置を超えたページの印刷結果を保証できないことを防ぐ画像形成装置及びプログラムを提供する。【解決手段】画像形成装置３の印刷制御装置１は、印刷を実行する画像出力装置２の用紙の搬送路における画像の転写位置で、ページ毎にエラーが発生したことを記録したエラー情報２１１を確認するエラー情報確認手段１０１であって、最後に確認したページが、搬送路上の印刷結果を保証する保証位置から搬送を停止するのに要する距離だけ搬送方向と逆方向の位置に達する以前のタイミングで、エラー情報２１１を確認するエラー情報確認手段１０１と、エラー情報確認手段１０１がエラー情報２１１にエラービットを確認した場合に画像出力装置２の搬送を停止するよう指示する印刷指示手段１０２とを有する。【選択図】図１
2017007281.tif 000002
【特許請求の範囲】
【請求項１】
印刷を実行する画像出力装置の用紙の搬送路における画像の転写位置で、ページ毎にエラーが発生したことを記録したエラー情報を確認する確認手段であって、最後に確認したページが、前記搬送路上の印刷結果を保証する保証位置から搬送を停止するのに要する距離だけ搬送方向と逆方向の位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
【請求項２】
印刷を実行する画像出力装置の用紙の搬送路上の画像の転写位置と、前記搬送路上の印刷結果を保証する保証位置から搬送を停止するのに要する距離だけ搬送方向と逆方向の位置との間の予め指定された位置において、ページ毎に正常に転写がなされた又はエラーが発生したことを記録したエラー情報を確認する確認手段であって、最後に確認したページが前記予め指定された位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
【請求項３】
印刷を実行する画像出力装置の用紙の搬送路における画像の転写位置で、ページの属性が切り替わるタイミングで、ページ毎に正常に転写がなされた又はエラーが発生したことを記録したエラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
【請求項４】
コンピュータを、
印刷を実行する画像出力装置の用紙の搬送路における画像の転写位置で、ページ毎にエラーが発生したことを記録したエラー情報を確認する確認手段であって、最後に確認したページが、前記搬送路上の印刷結果を保証する保証位置から搬送を停止するのに要する距離だけ搬送方向と逆方向の位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
【請求項５】
コンピュータを、
印刷を実行する画像出力装置の用紙の搬送路上の画像の転写位置と、前記搬送路上の印刷結果を保証する保証位置から搬送を停止するのに要する距離だけ搬送方向と逆方向の位置との間の予め指定された位置において、ページ毎に正常に転写がなされた又はエラーが発生したことを記録したエラー情報を確認する確認手段であって、最後に確認したページが前記予め指定された位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
【請求項６】
コンピュータを、
印刷を実行する画像出力装置の用紙の搬送路における画像の転写位置で、ページの属性が切り替わるタイミングで、ページ毎に正常に転写がなされた又はエラーが発生したことを記録したエラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
【発明の詳細な説明】
【技術分野】
【０００１】
本発明は、画像形成装置及びプログラムに関する。
【背景技術】
【０００２】
従来の画像形成装置として、障害が発生した場合に重複印刷等の不要な印刷を抑制するものが知られている（例えば、特許文献１参照。）。
【０００３】
この画像形成装置は、連帳プリンタであり、連続帳票の用紙搬送を制御するプリンタコントローラと印刷データを管理するデータ転送制御部とがそれぞれ独立しており、プリンタコントローラがデータ転送制御部から障害情報を受信した場合に、障害発生後に印刷を継続しても印刷結果が保証できる障害として予め定められた障害であるか否かを判定し、印刷結果が保証できる障害である場合にプリンタコントローラは印刷が終了するまで用紙搬送を継続し、印刷結果が保証できない障害である場合にプリンタコントローラは連続帳票の印刷用紙の区切りであるミシン目に関係なく即時に搬送を停止する。
【先行技術文献】
【特許文献】
【０００４】
【特許文献１】特開２０１２−８１７３６号公報
【発明の概要】
【発明が解決しようとする課題】
【０００５】
本発明の目的は、用紙搬送路上において印刷結果が紙詰まりすることなく出力されることを保証する保証位置を超えたページの印刷結果を保証できないことを防ぐ画像形成装置及びプログラムを提供することを目的とする。
【課題を解決するための手段】
【０００６】
本発明の一態様は、上記目的を達成するため、以下の画像形成装置及びプログラムを提供する。
【０００７】
［１］印刷を実行する画像出力装置の用紙の搬送路における画像の転写位置で、ページ毎にエラーが発生したことを記録したエラー情報を確認する確認手段であって、最後に確認したページが、前記搬送路上の印刷結果を保証する保証位置から搬送を停止するのに要する距離だけ搬送方向と逆方向の位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
［２］印刷を実行する画像出力装置の用紙の搬送路上の画像の転写位置と、前記搬送路上の印刷結果を保証する保証位置から搬送を停止するのに要する距離だけ搬送方向と逆方向の位置との間の予め指定された位置において、ページ毎に正常に転写がなされた又はエラーが発生したことを記録したエラー情報を確認する確認手段であって、最後に確認したページが前記予め指定された位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
［３］印刷を実行する画像出力装置の用紙の搬送路における画像の転写位置で、ページの属性が切り替わるタイミングで、ページ毎に正常に転写がなされた又はエラーが発生したことを記録したエラー情報を確認する確認手段と、
前記確認手段が前記エラー情報を確認してエラーが発生したことが記録されていた場合に、前記画像出力装置の搬送を停止するよう指示する印刷指示手段とを有する画像形成装置。
［４］コンピュータを、
印刷を実行する画像出力装置の用紙の搬送路における画像の転写位置で、ページ毎にエラーが発生したことを記録したエラー情報を確認する確認手段であって、最後に確認したページが、前記搬送路上の印刷結果を保証する保証位置から搬送を停止するのに要する距離だけ搬送方向と逆方向の位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
［５］コンピュータを、
印刷を実行する画像出力装置の用紙の搬送路上の画像の転写位置と、前記搬送路上の印刷結果を保証する保証位置から搬送を停止するのに要する距離だけ搬送方向と逆方向の位置との間の予め指定された位置において、ページ毎に正常に転写がなされた又はエラーが発生したことを記録したエラー情報を確認する確認手段であって、最後に確認したページが前記予め指定された位置に達する以前のタイミングで、前記エラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
［６］コンピュータを、
印刷を実行する画像出力装置の用紙の搬送路における画像の転写位置で、ページの属性が切り替わるタイミングで、ページ毎に正常に転写がなされた又はエラーが発生したことを記録したエラー情報を確認する確認手段と、
前記確認手段が前記エラー情報を確認してエラーが発生したことが記録されていた場合に、前記画像出力装置の搬送を停止するよう指示する印刷指示手段として機能させるためのプログラム。
【発明の効果】
【０００８】
請求項１−６に記載された発明によれば、用紙搬送路上において印刷結果が紙詰まりすることなく出力されることを保証する保証位置を超えたページの印刷結果を保証できないことを防ぐことができる。
【図面の簡単な説明】
【０００９】
【図１】図１は、本発明の実施の形態に係る画像形成装置の一例を示す構成図である。
【図２】図２は、エラー情報の構成例を示す概略図である。
【図３】図３は、印刷制御装置の表示部に表示されるページ抜けの検出間隔の設定画面の構成を示す概略図である。
【図４】図４は、印刷制御装置の第１の確認動作を説明するための概略図である。
【図５】図５は、従来の印刷制御装置の確認動作を説明するための概略図である。
【図６】図６は、印刷制御装置の第２の確認動作を説明するための概略図である。
【図７】図７は、印刷制御装置の第３の確認動作を説明するための概略図である。
【発明を実施するための形態】
【００１０】
図１は、本発明の実施の形態に係る画像形成装置の一例を示す構成図である。
【００１１】
この画像形成装置３は、例えば、デジタルカラープリンタであり、パーソナルコンピュータ等の上位装置から送信された画像データに印刷制御装置１で画像処理を施してイエロー（Ｙ）、マゼンタ（Ｍ）、シアン（Ｃ）、ブラック（Ｋ）の各色の画像データに変換した後、画像出力装置２で各色の画像データに基づいてカラー画像を記録媒体の一例である用紙に形成するように構成されている。なお、画像形成装置３は、記録媒体の一例として連続帳票のような連続紙に画像を形成する。また、画像形成装置３は、モノクロプリンタでもよい。
【００１２】
印刷制御装置１は、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部１０と、フラッシュメモリ等の記憶媒体から構成され情報を記憶する記憶部１１と、利用者の操作に応じて情報を入力する操作部１２と、文字や図形等を表示するＬＣＤ等の表示部１３とを備える。
【００１３】
制御部１０は、後述する印刷制御プログラム１１０を実行することで、設定受付手段１００、エラー情報確認手段１０１及び印刷指示手段１０２等として機能する。
【００１４】
設定受付手段１００は、操作部１２から入力される操作信号に応じて確認間隔情報１１１の設定を受け付ける。確認間隔情報１１１は、エラー情報確認手段１０１の動作のタイミングを定めるために用いられる情報である。詳細については後述する。
【００１５】
エラー情報確認手段１０１は、画像出力装置２の設定情報２１０から保証位置及び用紙搬送停止距離等の情報を取得し、設定情報２１０及び確認間隔情報１１１の設定値に基づいてタイミングを定め、当該タイミングで画像出力装置２のエラー情報２１１を確認する。なお、ここで「保証位置」とは、搬送路上に定義された位置であって、画像形成装置３は保証位置を超えたページでは定着装置においてエラーが発生しておらず、ページ抜けが発生しておらず、紙詰まりすることなく出力されることを保証する。また、「用紙搬送停止距離」とは、画像出力装置２に印刷を停止する指示をしてから、用紙の搬送を停止するのに要する距離である。
【００１６】
印刷指示手段１０２は、画像出力装置２に印刷を指示するとともに、エラー情報確認手段１０１がエラー情報２１１にエラービットが含まれることを確認した場合、画像出力装置２の印刷を停止するよう指示する。
【００１７】
記憶部１１は、制御部１０を上述した各手段１００−１０２として動作させる印刷制御プログラム１１０、確認間隔情報１１１等を記憶する。
【００１８】
画像出力装置２は、ビデオインターフェースカード等から構成され、各部を制御するとともに、主に印刷を実行する制御部２０と、ビデオインターフェースカード内のレジスタ等の記憶媒体から構成され情報を記憶する記憶手段２１と、用紙に対して印刷を実行する印刷実行部２２とを備える。
【００１９】
制御部２０は、情報管理手段２００、印刷実行手段２０１、エラー情報読出手段２０２として機能する。
【００２０】
情報管理手段２００は、印刷制御装置１のエラー情報確認手段１０１からの指示に応じて、記憶手段２１の設定情報２１０に保証位置及び用紙搬送停止距離等の情報を書き込みしたり、設定情報２１０から保証位置及び用紙搬送停止距離等の情報を読出したりして管理する。
【００２１】
印刷実行手段２０１は、印刷制御装置１の印刷指示手段１０２の指示に基づいて印刷実行部２２を動作させて印刷を実行する。
【００２２】
エラー情報読出手段２０２は、印刷制御装置１のエラー情報確認手段１０１の指示に応じて、エラー情報確認手段１０１が定めたタイミングで記憶手段２１のエラー情報２１１を読み出し、エラー情報確認手段１０１に送信する。
【００２３】
記憶手段２１は、設定情報２１０及びエラー情報２１１等を記憶する。
【００２４】
画像出力装置２の印刷実行部２２は、記録媒体としての用紙を収容する給紙トレイを着脱可能に有し、記録済みの用紙が排出される排出トレイを有し、給紙トレイから排出に至るように記録媒体搬送路としての搬送部を形成している。
【００２５】
また、画像出力装置２の印刷実行部２２は、印刷部を有している。印刷部は、イエロー（Ｙ）、マゼンタ（Ｍ）、シアン（Ｃ）、ブラック（Ｋ）各色の現像剤像が形成される感光体と、感光体に接触しながら循環移動し、感光体の表面の現像剤像が転写される中間転写ベルトと、中間転写ベルト上の現像剤像が用紙に転写されるニップ領域と、熱及び圧力により現像剤像を用紙に定着する定着装置とを有する。
【００２６】
定着装置によって用紙に現像剤像が定着されると、印刷実行手段２０１は、印刷が成功したとしてエラー情報２１１にノーマルビットを記録する。また、定着が失敗した場合は、ページ抜けが発生したとしてエラー情報２１１にエラービットを記録する。
【００２７】
また、搬送部は搬送路に保証位置を有し、当該保証位置を搬送方向に超えたページについて印刷結果を保証する必要がある。つまり、保証位置を超えたページでは定着装置においてエラーが発生しておらず、ページ抜けが発生しておらず、紙詰まりすることなく出力されることを保証する必要がある。
【００２８】
図２は、エラー情報２１１の構成例を示す概略図である。
【００２９】
エラー情報２１１は、予め定めた記憶容量として例えば１００ページ分の記憶容量を有し、ページ毎にノーマルビット２１１ｎ又はエラービットｅが記録される。ノーマルビット２１１ｎ又はエラービットｅは、印刷実行手段２０１によって記録される。
【００３０】
エラー情報確認手段１０１は、エラー情報２１１を確認し、エラービットｅが含まれていた場合にページ抜けが発生したと認識する。なお、従来の方法では、エラー情報確認手段１０１は、エラー情報２１１に１００ページ分の情報が記録された時点で確認していた。
【００３１】
（動作）
次に、本実施の形態の作用を、（１）基本動作、（２）設定動作、（３）確認動作に分けて説明する。
【００３２】
（１）基本動作
まず、画像形成装置３は、パーソナルコンピュータ等の上位装置から印刷ジョブを受信する。
【００３３】
画像形成装置３は印刷ジョブを受信し、印刷制御装置１の印刷指示手段１０２は受信した印刷ジョブに含まれる画像データに画像処理を施してイエロー（Ｙ）、マゼンタ（Ｍ）、シアン（Ｃ）、ブラック（Ｋ）の各色の画像データに変換した後、画像出力装置２に送信する。
【００３４】
画像出力装置２の印刷実行手段２０１は、各色の画像データを受信し、印刷実行部２２に各色の画像データに基づいてカラー画像を用紙に形成するよう指示する。
【００３５】
また、画像出力装置２の印刷実行手段２０１は、図２に示すように、ページ毎に、印刷が成功した場合にエラー情報２１１に印刷が成功したことを意味するノーマルビットを記録し、ページ抜けが発生した場合はエラー情報２１１に印刷が失敗したことを意味するエラービットを記録する。
【００３６】
ここで、前提として、印刷制御装置１のエラー情報確認手段１０１は、画像出力装置２の制御部２０へのアクセス負荷を低減するため、後述するタイミングでのみ制御部２０へアクセスし、エラー情報２１１を確認する。
【００３７】
（２）設定動作
画像形成装置３の利用者は、印刷物のページ抜けの検出間隔を設定するべく操作部１２を操作する。
【００３８】
印刷制御装置１の設定受付手段１００は、表示部１３にページ抜けの検出間隔の設定画面を表示する。
【００３９】
図３は、印刷制御装置１の表示部１３に表示されるページ抜けの検出間隔の設定画面の構成を示す概略図である。当該設定画面では後述する３パターンの設定が可能である。それぞれのパターンに応じてエラー情報確認手段１０１が後述する第１−第３の確認動作を行う。
【００４０】
設定画面１３０は、第１及び第２のパターンに該当する第１及び第２の確認動作を設定するための設定欄１３０ａと、第３のパターンに該当する第３の確認動作を設定するための設定欄１３０ｂと、従来の確認動作を設定するための設定欄１３０ｃと、設定内容を決定するためのＯＫボタン１３０ｄと、設定内容をキャンセルするためのキャンセルボタン１３０ｅとを有する。
【００４１】
まず、設定画面１３０において設定欄１３０ａの「指定した位置に印刷ページを転送した際に検出する」のチェックボックスをチェックした場合であって、ラジオボタン「スタック位置」を選択した場合の第１の確認動作について説明する。当該設定は設定受付手段１００によって受け付けられ、当該設定の内容によって確認間隔情報１１１が更新される。
【００４２】
（３）確認動作
（３−１）第１の確認動作
図４は、印刷制御装置１の第１の確認動作を説明するための概略図である。なお、印刷実行部２２の搬送路における保証位置Ｐｇは、転写位置Ｐｔから用紙９３ページ分の距離に位置するものとし、白抜きで示すページ抜けは５ページ目に生じており、転写が成功したページは斜線で示すものとする。また、転写位置Ｐｔとは、中間転写ベルトによって用紙に現像剤像が転写される位置であってもよいし、定着装置によって用紙に現像剤像が定着される位置であってもよい。
【００４３】
エラー情報確認手段１０１は、搬送路の転写位置Ｐｔにエラービット確認位置Ｐｃを有し、エラー情報２１１を最後に確認したページが、図４の例ではページ「ｐ１」が保証位置Ｐｇから搬送を停止するのに要する距離ｌｃ（３ページ分）だけ搬送方向と逆方向の位置に達したタイミングでエラー情報２１１を確認する。なお、達するより以前のタイミングで確認するようにしてもよい。
【００４４】
エラー情報確認手段１０１がエラー情報２１１にエラービット２１１ｅを確認した場合、印刷指示手段１０２は画像出力装置２の印刷を停止するよう指示する。
【００４５】
画像出力装置２の印刷実行手段２０１は、印刷実行部２２を制御して印刷を停止する。印刷実行部２２の搬送部は、印刷を停止するのに搬送停止距離ｌｔ分だけの距離を要する。その結果、図４に示す状態となり、抜けが生じたページ「ｅ１」は保証位置Ｐｇより前となる。
【００４６】
（３−２）従来の確認動作
図５は、従来の印刷制御装置の確認動作を説明するための概略図である。
【００４７】
従来の構成において、エラー情報確認手段１０１は、１００ページ分の情報が記録された時点でエラー情報２１１を確認していた。その結果、確認の時点で、図５に示す状態となり、ページ「ｐ１」は保証位置Ｐｇから既に７頁分進んでおり、抜けが生じたページ「ｅ１」は保証位置Ｐｇより搬送方向に進んでしまっていた。
【００４８】
（３−３）第２の確認動作
次に、設定画面１３０において設定欄１３０ａの「指定した位置に印刷ページを転送した際に検出する」のチェックボックスをチェックした場合であって、ラジオボタン「指定」を選択して転写位置Ｐｔからの距離を入力した場合の第２の確認動作について説明する。
【００４９】
図６は、印刷制御装置１の第２の確認動作を説明するための概略図である。なお、保証位置Ｐｇは、転写位置Ｐｔから用紙９３ページ分の距離に位置するものとし、ページ抜けは５ページ目に生じているとする。なお、エラー情報２１１が確認された際のエラービットチェック位置Ｐｃのページは間隔の狭い斜線で示すものとする。
【００５０】
搬送路の転写位置Ｐｔと保証位置Ｐｇから搬送停止距離ｌｔだけ進んだ位置との間の任意の位置に利用者によって設定されたエラービット確認位置Ｐｃを有し、エラー情報確認手段１０１は、エラー情報２１１を最後に確認したページが、エラービット確認位置Ｐｃに達したタイミングでエラー情報２１１を確認する。つまり、エラービットのチェック範囲は、エラービットチェック位置Ｐｃと転写位置Ｐｔとの間のページとなる。
【００５１】
図６の例では、エラービットチェック位置Ｐｃが転写位置Ｐｔから３ページ目にあるとした場合、初回は先頭のページ「ｐ１」がエラービットチェック位置Ｐｃに達した際にエラー情報２１１を確認し、次に、最後にエラー情報が確認されたページ「ｐ４」がエラービットチェック位置Ｐｃに達した際にエラー情報２１１を確認する。次に、最後にエラー情報が確認されたページ「ｐ７」がエラービットチェック位置Ｐｃに達した際にエラー情報２１１を確認する。この時点でエラー情報確認手段１０１は、エラー情報２１１にエラービット２１１ｅを確認し、以下のように動作する。
【００５２】
エラー情報確認手段１０１がエラー情報２１１にエラービット２１１ｅを確認した場合、印刷指示手段１０２は画像出力装置２の印刷動作を停止して最後にチェックしたページ以降のページを白紙にする。また、画像出力装置２の印刷実行手段２０１は、最後より１回前にチェックしたページの直前のページを保証位置Ｐｇに搬送する。その結果、図６に示す状態となり、抜けが生じたページ「ｅ１」は保証位置Ｐｇより前となる。また最後にチェックしたページ「ｐ７」以降は白紙としたため、余分な転写を行わずに済む。
【００５３】
（３−４）第３の確認動作
次に、設定画面１３０において設定欄１３０ｂの「ページ属性が変化した際に検出する」のチェックボックスをチェックした場合の第３の確認動作について説明する。
【００５４】
図７は、印刷制御装置１の第３の確認動作を説明するための概略図である。なお、保証位置Ｐｇは、転写位置Ｐｔから用紙９３ページ分の距離に位置するものとし、ページ抜けは１２ページ目に生じているとする。
【００５５】
エラー情報確認手段１０１は、搬送路の転写位置Ｐｔにエラービット確認位置Ｐｃを有し、特定のページ属性が切り替わったタイミングで、図７の例では４ページ毎にエラー情報２１１を確認する。ここではページ属性として「セットの切れ目」が選択されており、４ページ毎に１セットの印刷の場合について説明している。また、ページ属性として「ジョブの先頭」、「部の先頭」、「セットの先頭」等の他の属性を選択できるようにしてもよい。
【００５６】
エラー情報確認手段１０１がエラー情報２１１にエラービットを確認した場合、印刷指示手段１０２は画像出力装置２の印刷動作を停止するとともに、最後にエラー情報２１１が正常だったページ「ｐ９」の直前のページ「ｐ８」を保証位置ｐｇまで搬送するよう指示する。
【００５７】
画像出力装置２の印刷実行手段２０１は、印刷実行部２２を制御して印刷を停止して最後にチェックしたページ以降のページを白紙にする。また、印刷実行部２２の搬送部は、印刷を停止してからページ「ｐ８」を保証位置Ｐｇまで搬送する。その結果、図７に示す状態となり、抜けが生じた１２ページ目のページ「ｅ１」は保証位置Ｐｇより前となる。
【００５８】
（実施の形態の効果）
上記した実施の形態によれば、第１の確認動作によって、ページ抜けが生じたページが保証位置に搬送されないようなタイミングでエラー情報２１１を確認し、エラー情報２１１にエラービット２１１ｅが存在する場合にはページ抜けが生じたページの搬送を保証位置より前で停止したため、用紙搬送路上において印刷保証位置を超えたページの印刷結果を保証できないことを防ぐことができる。
【００５９】
また、第２の確認動作によって、第１の確認動作の効果に加え、エラービット２１１ｅが存在した際に確認されたページ以降は白紙にすることができ、無駄な印刷を抑制することができる。
【００６０】
また、第３の確認動作によって、第２の確認動作の効果に加え、ページ属性が変化する度にエラー情報２１１を確認しているため、印刷保証位置Ｐｇ以降はそれぞれページ属性のまとまりになっており、印刷物が中途半端なものとならず無駄になりにくい。
【００６１】
なお、本発明は、上記実施の形態に限定されず、本発明の趣旨を逸脱しない範囲内において種々に変形実施が可能である。
【符号の説明】
【００６２】
１     印刷制御装置
２     画像出力装置
３     画像形成装置
１０   制御部
１１   記憶部
１２   操作部
１３   表示部
２０   制御部
２１   記憶手段
２２   印刷実行部
９３   用紙
１００ 設定受付手段
１０１ エラー情報確認手段
１０２ 印刷指示手段
１１０ 印刷制御プログラム
１１１ 確認間隔情報
１３０ 設定画面
２００ 情報管理手段
２０１ 印刷実行手段
２０２ エラー情報読出手段
２１０ 設定情報
２１１ エラー情報
２１１ｅ      エラービット
２１１ｎ      ノーマルビット
【図１】
2017007281.tif 000003
【図２】
2017007281.tif 000004
【図３】
2017007281.tif 000005
【図４】
2017007281.tif 000006
【図５】
2017007281.tif 000007
【図６】
2017007281.tif 000008
【図７】
2017007281.tif 000009